(57)【要約】【課題】最新の日から１週間分の日付および曜日を確認可能であるとともに、日めくりカレンダー本来の機能である「１日毎にシートをめくる」という作業を実施可能な付箋紙機能付日めくりカレンダーを提供する。【解決手段】付箋紙機能付日めくりカレンダー１００は、基材１０、および積層され再剥離剤２２により接着された複数のシート３０から構成された７つの束４０を備え、シート３０が、１日毎の日付３２および曜日３４が印刷された印刷層３６と、再剥離剤２２により構成された付箋紙機能層２０とを有しており、束４０それぞれは、同一の曜日３４が印刷されたシート３０の集合であって最前面３８から最後面に向けて日付３２順にシート３０が積層されており、７つの束４０が、基材１０上に曜日３４順に配置され固定されている。【選択図】図１
0003216131.tif 000002
【実用新案登録請求の範囲】
【請求項１】
基材、および
積層され再剥離剤により接着された複数のシートから構成された７つの束を備え、
前記シートが、１日毎の日付および曜日が印刷された印刷層と、前記再剥離剤により構成された付箋紙機能層とを有しており、
前記束それぞれは、同一の曜日が印刷された前記シートの集合であって最前面から最後面に向けて日付順に前記シートが積層されており、
７つの前記束が、前記基材上に曜日順に配置され固定されていることを特徴とする付箋紙機能付日めくりカレンダー。
【請求項２】
前記基材上に配列された配置順において第一曜日から数えられる７つの前記束それぞれの最前面において表出し連続する７日間を示す７枚の前記シートは、前記印刷層における主体色が共通しているとともに、
第一の前記７枚のシートの前記主体色である第一主体色と、当該第一の前記７枚のシートの次層に位置する第二の前記７枚のシートの前記主体色である第二主体色とが異なる請求項１に記載の付箋紙機能付日めくりカレンダー。
【請求項３】
前記第一主体色に対し、前記第二主体色は、補色または反対色であり、
前記補色は、色相環において第一主体色に対し反対側に位置する色であり、
前記反対色は、色相環において前記第一主体色を中心にして９０度に区画した色相の近い色を含む群に含まれない色である請求項２に記載の付箋紙機能付日めくりカレンダー。
【請求項４】
前記印刷層は図柄を含み、
前記基材上に配列された配置順において第一曜日から数えられる７つの前記束それぞれの最前面において表出し連続する７日間を示す７枚の前記シートにおいて、前記図柄が看者に共通のテーマを認識させるとともに、
第一の前記７枚のシートの前記共通のテーマである第一テーマと、当該第一の前記７枚のシートの次層に位置する第二の前記７枚のシートの前記共通のテーマである第二テーマとが異なる請求項１から３のいずれか一項に記載の付箋紙機能付日めくりカレンダー。
【請求項５】
前記基材が、卓上設置面と、前記束が固定される固定面とを有し、卓上カレンダーとして用いられる請求項１から４のいずれか一項に記載の付箋紙機能付日めくりカレンダー。
【請求項６】
前記基材は、前記束が固定される固定面を有し、
前記固定面には、前記束が配置され固定される位置を示す基準線が設けられており、
前記基準線は、前記束の外縁の一部と略一致する請求項１から５のいずれか一項に記載の付箋紙機能付日めくりカレンダー。
【考案の詳細な説明】
【技術分野】
【０００１】
本考案は、日めくりカレンダーに関し、詳しくは、１週間単位で日付が確認できるとともに剥がした日付毎のシートが付箋紙機能を備える付箋紙機能付日めくりカレンダーに関する。
【背景技術】
【０００２】
従来から知られる日めくりカレンダーは、壁掛けタイプであって、１日毎のシートが１年間分（即ち３６５枚）、１つの束になって構成されるものが多く知られている。また、卓上の日めくりカレンダーも提案されている。たとえば下記特許文献１には、卓上に設置可能な専用のポリプロピレン系樹脂製のケースに収納された日めくりカレンダーが開示されている。
これらの日めくりカレンダーは、毎日シートをめくるタイプであって、カレンダーの最表面にその日の日付が表示される。したがって、その日の日付が間違いなく確認できるという利点を有している。また日めくりカレンダーは、１日毎にシートをめくることで気持ちを新にすることができるという心理的な効果も期待される。
【０００３】
また特許文献２には、付箋紙機能付のカレンダーが開示されている。具体的には、同文献図６に、１週間ごとの日付が印刷されたシートが積層されてなる１つの束からなる週めくりカレンダーが開示されている。かかるカレンダーは、１週間に一度、シートをめくるタイプであって、一週間の単位で日にちを確認できるという利点を有している。
【先行技術文献】
【特許文献】
【０００４】
【特許文献１】特開２０１６−１７９６７０号公報
【特許文献２】特開２００３−１９８８０号公報
【考案の概要】
【考案が解決しようとする課題】
【０００５】
ところでカレンダーを使用する多くの者は、１週間程度のスパンで日付を確認する習慣を持つ場合が多い。これに対し、特許文献１のように１日毎のシートが積層されてなる１つの束である日めくりカレンダーでは、常に最上面に示された１日のみの日にちおよび曜日しか確認することができなかった。
【０００６】
一方、特許文献２に開示された週めくりカレンダーでは、最表面に１週間分の日にちと曜日が示されるため、１週間単位で日にちを確認することができる。しかしながら、当該週めくりカレンダーには、気持ち新たに１日毎にシートをめくるという作業を実施することができない。
【０００７】
本考案は上述のような課題に鑑みてなされたものである。即ち、本考案は、最新の日から１週間分の日付および曜日を確認可能であるとともに、日めくりカレンダー本来の機能である「１日毎にシートをめくる」という作業を実施可能な付箋紙機能付日めくりカレンダーを提供するものである。
【課題を解決するための手段】
【０００８】
本考案の付箋紙機能付日めくりカレンダーは、基材、および積層され再剥離剤により接着された複数のシートから構成された７つの束を備え、上記シートが、１日毎の日付および曜日が印刷された印刷層と、上記再剥離剤により構成された付箋紙機能層とを有しており、上記束それぞれは、同一の曜日が印刷された上記シートの集合であって最前面から最後面に向けて日付順に上記シートが積層されており、７つの上記束が、上記基材上に曜日順に配置され固定されていることを特徴とする。
【考案の効果】
【０００９】
上記構成を備える本考案の付箋紙機能付日めくりカレンダーによれば、最新の日から１週間分の日付および曜日を確認することができるとともに、１日毎にシートをめくることができる。また本考案は、各シートに付箋紙機能層が設けられているため、使用者は、毎日、その日の日付および曜日の入った付箋紙を得ることになり、自分の記録やノートの整理などに付箋紙機能を備え日付および曜日のされたシートを利用することができる。
【図面の簡単な説明】
【００１０】
【図１】（ａ）および（ｂ）は、本考案の一実施形態にかかる付箋紙機能付日めくりカレンダーの斜視図である。
【図２】（ａ）から（ｆ）は、本考案の一実施形態にかかる付箋紙機能付日めくりカレンダーの六面図であり、（ａ）は正面図、（ｂ）は平面図、（ｃ）背面図、（ｄ）底面図、（ｅ）左側面図、（ｆ）右側面図である。
【図３】本考案の一実施形態にかかる付箋紙機能付日めくりカレンダーの展開図である。
【図４】（ａ）および（ｂ）は、本考案の異なる実施形態にかかる付箋紙機能付日めくりカレンダーの正面図である。
【図５】（ａ）から（ｃ）は、本考案の付箋紙機能付日めくりカレンダーの製造工程の一例の前半を示す説明図である。
【図６】（ａ）から（ｃ）は、本考案の付箋紙機能付日めくりカレンダーの製造工程の一例の後半を示す説明図である。
【考案を実施するための形態】
【００１１】
以下、本考案の実施形態について、図面を用いて説明する。すべての図面において、同様の構成要素には同一の符号を付し、重複する説明は適宜に省略する。
本考案の各種の構成要素は、個々に独立した存在である必要はなく、複数の構成要素が一個の部材として形成されていること、１つの構成要素が複数の部材で形成されていること、ある構成要素が他の構成要素の一部であること、ある構成要素の一部と他の構成要素の一部とが重複していること、等を許容する。
【００１２】
本考案又は本明細書の記載に関し、特段の断りなく上下方向をいう場合には、いずれも本考案の使用状態における方向を指し、上下方向は、任意の地点から天方向を上方向とし、上記天方向に対し相対的に下向きの方向を下方という。
【００１３】
以下に、本考案の付箋紙機能付日めくりカレンダー（以下、単にカレンダーともいう）の一実施形態について図１から図３を用いて説明する。図１（ａ）および図１（ｂ）は、本考案の一実施形態にかかる付箋紙機能付日めくりカレンダー１００(以下、単にカレンダー１００ともいう)の斜視図である。図２（ａ）から図２（ｆ）は、本考案の一実施形態にかかるカレンダー１００の六面図である。図２（ａ）は正面図、図２（ｂ）は平面図、図２（ｃ）は背面図、図２（ｄ）は底面図、図２（ｅ）は左側面図、および図２（ｆ）は右側面図である。図３は、本考案の一実施形態にかかるカレンダー１００の展開図である。尚、図２および図３において、各シート３０に印刷された日付、曜日等を含む印刷層は図示省略しているが、適宜、図１または後述する図４の印刷層３６が参照される。
【００１４】
はじめに、本実施形態の付箋紙機能付日めくりカレンダー１００の概要について説明する。
図１（ａ）に示すように、カレンダー１００は、基材１０、および７つの束４０を備えている。束４０は、積層され再剥離剤２２により接着された複数のシート３０から構成されている。シート３０は、１日毎の日付３２および曜日３４が印刷された印刷層３６と、再剥離剤２２により構成された付箋紙機能層２０とを有している。束４０それぞれは、同一の曜日３４が印刷されたシート３０の集合であって最前面から最後面に向けて日付順にシート３０が積層され、再剥離剤２２により互いが接合されている。７つの束４０は、基材１０上に曜日順に配置され固定されている。
【００１５】
尚、本実施形態では、付箋紙機能層２０は、シート３０において印刷層３６が設けられた面とは反対側の面に設けられている。図示省略する変形例として、付箋紙機能層２０は、印刷層３６と同じ面側に設けられていてもよい。かかる変形例において、例えば、印刷層３６が設けられた面とは反対側面に、任意の他の印刷層が設けられていてもよい。
【００１６】
上記構成を備えるカレンダー１００は、１日毎にシート３０をめくる日めくりカレンダーであって、日めくりカレンダーの元来の機能である「毎日めくる」という作業を要するとともに、曜日毎に束ねられた７つの束４０が曜日順に配置されているため、最新の日から１週間分の日付３２および曜日３４を確認することができる。
【００１７】
特許文献１に例示される従来の日めくりカレンダーは、日付が付されたシート３６５枚が厚み方向に連続する１つの束として構成される。そのため、束の厚みが厚くなり、卓上に設置した場合、嵩が張って卓上作業の邪魔になり、あるいは設置安定性が悪いという問題があった。これに対し、カレンダー１００は、３６５日分のシート３０が、曜日毎の集合として７つの束４０に分けられている。そのため、束４０の厚みが従来の日めくりカレンダーの約７分の１と有意に小さく、卓上の作業を邪魔し難い上、卓上に設置したときの安定感も良好である。
しかも、シート３０は、再剥離剤２２により構成された付箋紙機能層２０により束４０の厚み方向に積層されており、めくられたシート３０は、再剥離剤２２の機能により、１枚の付箋紙として利用することができる。したがって、めくられた（剥がされた）シート３０は、廃棄物となることなく、日々の記録の見出し等に有効に利用され得る。
【００１８】
次に、本実施形態のカレンダー１００の構成について詳細に説明する。
本実施形態にかかるカレンダー１００は、上述のとおり、１日ごとにシート３０をめくるタイプのカレンダーである。本実施形態におけるカレンダー１００は、図１（ａ）、（ｂ）に示すとおり月曜日から日曜日までの束４０が、正面視において左から右に向かって均等配置され固定されている。もちろん、曜日の配置はこれに限定されず、たとえば日曜日を左端とし右方向に順に土曜日まで配置してもよい。また、図示省略する他の態様として、曜日の配置を左右方向以外の方向（例えば上下方向など）に変更することもできる。即ち、カレンダー１００は、曜日毎に構成された７つの束４０が第一曜日（本実施例では第一曜日は月曜日）から順に一方方向に配列されている。
【００１９】
図１（ａ）に示されるカレンダー１００は、１月１日から１月３日までのシート３０がめくられ、１月４日であることが示された状態である。一枚のシート３０をめくると、その直下に次週（即ち７日後）の日付が印刷されたシート３０が表出する。そのため、カレンダー１００は、常に配置方向である左右方向において、現在の日にちから１週間後までの日にちが連続して表出する。図１（ａ）の状態から、さらにシート３０を１月９日までめくると図１（ｂ）の状態となる。図１（ｂ）では、１月１０日であることが示されている。
【００２０】
本実施形態にかかるカレンダー１００において、基材１０上に配列された配置順において第一曜日から数えられる７つの束４０それぞれの最前面３８において表出し連続する７日間を示す７枚のシート３０は、印刷層３６における主体色が共通している。加えて、第一の７枚のシートの主体色である第一主体色と、当該第一の７枚のシート３０の次層に位置する第二の７枚のシート３０の主体色である第二主体色とが異なる。
ここで上記主体色とは、連続する７日間を構成する７枚のシート３０において共通して使用されている色であって、当該７枚のシート３０を俯瞰してみた場合に、最も視認されやすい色を指す。尚、本考案に関し色とは、有彩色のみならず、白、黒、グレーなどの無彩色も含む。
【００２１】
より具体的には、本実施形態では、第一曜日は月曜日であり、カレンダー１００において最初に表出する第一曜日から連続する７日間は、１月１日から１月７日までである。たとえばカレンダー１００における１月１日から１月７日までのシート３０（第一の７枚のシート３０）は、印刷層３６における背景色が白で共通しており、したがって第一の７枚のシート３０の主体色である第一主体色は白である。
カレンダー１００は、１月１日から１月７日までの第一の７枚のシート３０の次層に、１月８日から１月１４日までの第二の７枚のシート３０が存在する。図１（ａ）および図１（ｂ）から理解されるとおり、第二の７枚のシート３０は、印刷層３６における背景色が黒で共通しており、したがって第二の７枚のシート３０の主体色である第二主体色は黒である。また、主体色は、印刷層３６の一部として示される色味の替わりに、シート３０自体の色味であってもよい。
【００２２】
上述では第一主体色が白、および第二主体色が黒を例に説明したが、本考案は、これに限定されない。たとえば第一主体色に対し、第二主体色は、上記第一主体色の補色または反対色であることは、本考案の好ましい態様といえる。互いが識別し易く、かつ色合いが華やかになるからである。ここで、補色とは、色相環において第一主体色に対し反対側に位置する色であり、反対色とは、色相環において第一主体色を中心にして９０度に区画した色相の近い色を含む群に含まれない色を意味する。また、色相環とは、色相の総体を順序立てて円環にして並べたものであり、ここには白、黒、グレーなどの無彩色は含まれない。たとえば、１２色で表される１２色相環において、黄色を第一の主体色とした場合、その両隣の黄緑および橙色は、色相の近い色であり、それ以外の色を反対色といい、第二の主体色として好ましく選択される。
また、第一色を白または黒などの無彩色とし、第二色を任意の有彩色とする組合せも、互いが識別し易く、かつ色合いが華やかになるため好ましい組み合わせといえる。
【００２３】
このように第一の７枚のシートの主体色である第一主体色と、当該第一の７枚のシート３０の次層に位置する第二の７枚のシート３０の主体色である第二主体色とが異なるカレンダー１００によれば、以下の効果を発揮する。即ち、カレンダー１００は、日めくり機能と、一週間を連続して把握可能な機能のいずれも有するところ、連続して配置される７つの束４０のいずれの束４０が、本日の日付を示しているのか、一見してわかりにくい場合がある。これに対し、第一の７枚のシート３０と第二の７枚のシート３０の主体色とが異なるカレンダー１００は、表出する１週間分のシート３０において、主体色の変わり目のシート３０（図１（ａ）では１月４日、図１（ｂ）では１月１０日）が、本日の日付を示すシート３０となるため、本日の日付の確認が容易である。
【００２４】
上述する第一の７枚のシート３０と第二の７枚のシート３０とにおいて、主体色を変更するという技術思想は、視認により、第一の７枚のシート３０と第二の７枚のシート３０とが異なるグループであることを色により視認容易とし、これによって、一方方向に配列する７枚のシート３０のうち、本日の日付を示すシート３０を使用者に視認させ易くすることを趣旨とする。したがって、主体色は、図１（ａ）、（ｂ）に示すように、各シート３０において占める面積が最も大きい色である態様に限定されず、たとえば各シート３０において占める面積は比較的小さいが、第一曜日から数えられる７つの束４０それぞれの最前面３８において表出する連続する７日間を示す７枚のシート３０において共通するとともに顕著に目立つ色であってもよい。
【００２５】
本実施形態における基材１０は、卓上設置面１２と、束４０が固定される固定面１４とを有しており、卓上タイプのカレンダーとして機能する。
付箋紙機能を備えるカレンダー１００が卓上に設置されることにより、当該卓上にて任意の作業する使用者は、カレンダー１００のカレンダー機能および付箋紙機能を活用し易い。また、図４を用いて後述するとおり、図柄５０などを付した印刷層３６を備えたカレンダー１００を卓上に設置することで、華やかさまたは楽しい雰囲気を卓上にて演出することができる。
【００２６】
ただし本考案は、基材１０として少なくとも固定面１４を備えていればよく、たとえば卓上設置面１２および背面１６が省略された壁掛けタイプの日めくりカレンダーとして構成されてもよい。
【００２７】
図２（ａ）に示すとおり、カレンダー１００の正面視において、７つの束４０の最表面に表出するシート３０が良好に視認される。７つの束４０は略等間隔で配置され固定されている。本実施形態における７つの束４０は、正面視において、同形状であって、いずれも長方形である。図２（ｂ）は、カレンダー１００の平面視を示しており、固定面１４と背面１６とが観察される。図２（ｃ）は、カレンダー１００の背面視を示しており背面１６が観察される。図２（ｄ）は、カレンダー１００の卓上設置面１２を示している。卓上設置面１２は、略平坦な面であって適度な面積を有しており、卓上設置面１２を卓上に当接させることで、カレンダー１００を卓上にて所望の姿勢に設置することができる。ただし卓上タイプであるカレンダー１００は、必ずしも卓上設置面１２を備える態様に限定されず、たとえば、卓上に設置する脚部（図示省略）を備える態様に変更可能である。背面１６は、固定面１４と卓上設置面１２とを連係し固定面１４の傾斜角度を一定に維持し得る。本実施形態では、固定面１４、卓上設置面１２および背面１６は、いずれも同形状の長方形であり、これらにより、中抜きの三角筒が構成されているとともに当該三角筒の断面は正三角形をなしている（図２（ｅ）左側面図および図２（ｆ）右側面図参照）。
【００２８】
図３は、カレンダー１００の展開図である。背面１６と固定面１４との境界、および固定面１４と卓上設置面１２との境界には、それぞれ山折線１２６が設けられている。山折線１２６を山折りすることで、背面１６、固定面１４、および卓上設置面１２からなる三角筒を構成することができる。背面１６および卓上設置面１２には、それぞれの短手方向略中央を通過する谷折線１２２が設けられている。背面１６における谷折線１２２を谷折りすることで、卓上設置面１２に対する固定面１４の傾斜角度を小さくするよう（本態様の場合には６０度未満にするよう）調整することができる。また卓上設置面１２における谷折線１２２を谷折りすることで、カレンダー１００の高さを高くするとともに奥行寸法を小さくするよう調整することができる。谷折線１２２を谷折りした場合には、正三角形であった上記断面の形状が変形する。
図３に示すとおり、卓上設置面１２の固定面１４とは反対側の外縁には、折り込み部１２５が設けられており、両者の境界には山折線１２６が設けられている。
【００２９】
図３に示されるとおり、基材１０における背面１６の紙面上端側には略台形の爪１２３が設けられている。本実施形態では爪１２３は、紙面左右方向に３つ設けられているが爪１２３の数は特に限定されない。
一方、卓上設置面１２と折り込み部１２５との境界には、上記三角筒にしたときに爪１２３に対向する位置に切り込み部１２４が形成されている。基材１０に設けられた各山折線１２６を山折りし、爪１２３を対向する切り込み部１２４に挿入するとともに折り込み部１２５を三角筒形の内部に折り込むことで、カレンダー１００が構成される。
【００３０】
固定面１４は、上述のとおり束４０が固定される面である。７つの束４０を所定位置に固定しやすくするという観点から、固定面１４には、束４０が配置され固定される位置を示す基準線７０（図６（ｂ）、図６（ｃ）参照）が設けられていることが好ましい。束４０が固定された状態で基準線７０が使用者に視認され難いように、基準線７０は、束４０の外縁の一部と略一致する位置に設けられていることが好ましい。本実施形態では、図６（ｂ）および図６（ｃ）に示すとおり、７つの束４０の配置が予定される箇所において、束４０の上端側の外縁および下端側の外縁に沿った位置に基準線７０が設けられている。
【００３１】
次に、本考案の他の実施形態の例を図４に示す。図４（ａ）および図４（ｂ）は、本考案の異なる実施形態にかかる付箋紙機能付日めくりカレンダー２００（以下、単にカレンダー２００ともいう）の正面図である。
【００３２】
カレンダー２００は、印刷層３６が日にち３２および曜日３４とともに図柄５０を含む。図４（ａ）に示すとおり、基材１０上に配列された配置順において第一曜日から数えられる７つの束４０それぞれの最前面３８において表出し連続する７日間を示す７枚のシート３０において、図柄５０は、看者に共通のテーマ（第一テーマ５２）を認識させる。
より具合的には、図４（ａ）に示すカレンダー２００では、第一曜日は月曜日であり、連続する７日間とは、１月１日から１月７日であり、これらの７枚のシート３０において図柄５０の共通のテーマ（第一テーマ５２）は、塀の上の猫に関連する風景である。看者（カレンダー２００の使用者）は、第一曜日から始まる７日間が表出された状態において、「カレンダー２００の今週の共通のテーマは、塀の上の猫に関する風景である」と認識することができる。このように日ごとに替わる図柄５０が、一週間の単位で共通のテーマをなすカレンダー２００は、装飾性およびエンターテイメント性に優れる。また毎日、一枚ずつめくられるシート３０が異なる図柄であることにより、それを付箋紙として使用する際の楽しさが演出され、文房具としての価値を増大させることができる。
【００３３】
カレンダー２００は、さらに以下の構成を備える。即ち、上述する第一の７枚のシート３０の共通のテーマである第一テーマ５２と、当該第一の７枚のシート３０の次層に位置する第二の７枚のシート３０の共通のテーマである第二テーマ５４とが異なる。
より具体的には、図４（ｂ）に示すとおり、第一の７枚のシート３０である１月１日から１月７日の各シート３０の次層には、第二の７枚のシート３０である１月８日から１月１４日を示すシート３０が位置している。第二の７枚のシート３０において図柄５０の共通のテーマ（第二テーマ５４）は、テーブルの上の料理を狙う猫である。看者（カレンダー２００の使用者）は、第一曜日から始まる７日間が表出された状態において、「カレンダー２００の今週の共通のテーマは、テーブルの上の料理を狙う猫である」と認識することができる。図４（ａ）および図４（ｂ）から理解されるとおり、第一のテーマ５２と第二のテーマ５４が異なっているので、シート３０がめくられると、めくられたシート３０の図画５０とは異なる図柄５０のシート３０が表出する。そのため、カレンダー２００の使用者は、最前面３８のシート３０をめくることで表出する異なる図柄５０を楽しむことができるとともに、第一曜日（本実施形態では月曜日）からシート３０を毎日めくっていくことで、１日毎に表出する次層の図柄５０から次週の共通のテーマが何かを予想する楽しみや期待感を得ることができる。
【００３４】
カレンダー２００において、上述するカレンダー１００のように、第一の７枚のシート３０の主体色である第一主体色と、当該第一の７枚のシート３０の次層に位置する第二の７枚のシート３０の主体色である第二主体色とを異ならしめてもよい。これによってカレンダーとしての機能は良好に発揮されるとともに、使用におけるエンターテイメント性を向上させることができる。
【００３５】
次に、カレンダー１００の製造方法（以下、本製造方法ともいう）の例について図５および図６を用いて説明する。図５（ａ）から図５（ｃ）は、本考案の付箋紙機能付日めくりカレンダー１００の製造工程の一例の前半を示す説明図であり、図６（ａ）から図６（ｃ）は、本考案の付箋紙機能付日めくりカレンダー１００の製造工程の一例の後半を示す説明図である。
【００３６】
本製造方法は、日付印刷工程と、付箋紙機能層形成工程と、束作成工程と、配列固定工程と、を備える。
日付印刷工程は、図５（ａ）に示すとおり、第ｎの印刷紙（図５では印刷紙６０Ａおよび印刷紙６０Ｂを例示している）の外縁部近傍に余白６２を残しつつ、第ｎ週の日付３２および曜日３４を一列かつ多段に印刷する工程である。ただし、ｎは１から５３または５４までの正の整数である。本実施例では、日付印刷工程において、上記印刷紙の上記余白に当該印刷紙の順番ｎを表す順場記号６４を印刷する作業を含む。
図５（ａ）に示す印刷紙６０Ａは、ｎ＝１であり、かかる日付印刷工程において、第１週の日付３２および曜日３４である１月１日（月）から１月７日（日）が紙面左右方向に一列かつ、紙面上下方向に多段に印刷されている。また余白６２には、印刷紙６０Ａが第１週（即ち順番１）の印刷紙であることを示す順場記号６４として丸囲み１が印刷されている。図５（ａ）に示す印刷紙６０Ｂは、ｎ＝２であり、第２週の日付３２および曜日３４である１月８日（月）から１月１４日（日）が一例かつ多段に印刷されている。
【００３７】
日付印刷工程を実施した後、付箋紙機能層形成工程が実施される。付箋紙機能層形成工程は、上述する第ｎの印刷紙において第ｎ週の日付および曜日が印刷された列ごとに、列方向に連続または断続に再剥離剤２２を塗布して付箋紙機能層２０を形成する工程である。具体的には、たとえば図５（ｂ）に示すとおり、印刷紙６０Ａの日付等が印刷された面とは反対側の面に、１月１日（月）から１月７日（日）が印刷された列に沿って連続的に再剥離剤２２を印刷塗布する。多段に印刷された日付の例に対応させ、付箋紙機能層２０も多段に形成する。印刷紙６０Ｂも同様である。
【００３８】
日付印刷工程および付箋紙機能層形成工程を経た第１の印刷紙から第５３の印刷紙（または第５４の印刷紙）を用いて束作成工程が実施される。束作成工程は、複数の印刷紙（印刷紙６０Ａ、印刷紙６０Ｂ等）を日付３２の順が保たれるとともに厚み方向に同じ曜日３４が重なるように丁合して積層し付箋紙機能層２０により接合させた後、余白６２を切断するとともに、日付３２および曜日３４がセットとなるよう区画して裁断することによって曜日毎の束４０を作成する工程である。
より具体的には、図５（ｃ）に示すとおり、印刷紙６０Ａ、印刷紙６０Ｂ等に印刷された日付３２（図５（ａ）参照）の順が保たれるとともに厚み方向に同じ曜日３４（図５（ａ）参照）が重なるように丁合し付箋紙機能層２０により積層させて積層体６６を形成する。このとき、余白６２に印刷した順番記号６４を昇順に並べることで日付３２の順に並べる作業ことが容易である。その後、図６（ａ）に示すとおり、切断線６８にて裁断することで印刷紙から余白６２を切断するとともに、日付３２および曜日３４がセットとなるよう区画された曜日毎の束４０を作成する。
【００３９】
続いて配列固定工程を実施する。配列固定工程は、上述する束作成工程によって作成された複数の束４０を、曜日順に基材１０に配列して固定させる工程である。尚、配列固定工程の実施前に適宜、図６（ｂ）に示すとおり、基材１０の所定の箇所に束４０を速やかに配置するための基準線７０を設けてもよい。本実施形態では基準線７０として、長方形の束４０の上端側の外縁４２に沿った位置に上段基準線７２を設けるとともに束４０の下端側の外縁４３に沿った位置に下段基準線７４を設けている。本実施形態では、上端側の外縁４２の長さと上段基準線７２の長さ、および下端側の外縁４３の長さと下段基準線７４の長さは同じである。
そして図６（ｃ）に示すとおり、基準線７０に対して位置合わせをしつつ、束４０を基材１０の固定面１４に配置し、固定させる。固定方法は特に限定されず、たとえば丁合の際に図５（ｃ）に示すとおりラストの用紙６０Ｃを最背面に積層して積層体６６を作成し、束４０の最背面となる用紙６０Ｃと基材１０とを接着剤などで接合してもよい。このときラストの用紙６０Ｃは、日付等が印刷された最後の印刷紙（即ち、第５３の印刷紙または第５４の印刷紙）と兼用してもよいし、上記最後の印刷紙の裏面に接合用の用紙をさらに積層させてもよい。
【００４０】
以上に、本考案の付箋紙機能付日めくりカレンダーを説明したが、本考案は上述の実施形態に限定されるものではなく、本考案の目的が達成される限りにおける種々の変形、改良等の態様を含む。
【００４１】
上述する本考案は、以下の技術思想を包含するものである。
（１）基材、および
積層され再剥離剤により接着された複数のシートから構成された７つの束を備え、
前記シートが、１日毎の日付および曜日が印刷された印刷層と、前記再剥離剤により構成された付箋紙機能層とを有しており、
前記束それぞれは、同一の曜日が印刷された前記シートの集合であって最前面から最後面に向けて日付順に前記シートが積層されており、
７つの前記束が、前記基材上に曜日順に配置され固定されていることを特徴とする付箋紙機能付日めくりカレンダー。
（２）前記基材上に配列された配置順において第一曜日から数えられる７つの前記束それぞれの最前面において表出し連続する７日間を示す７枚の前記シートは、前記印刷層における主体色が共通しているとともに、
第一の前記７枚のシートの前記主体色である第一主体色と、当該第一の前記７枚のシートの次層に位置する第二の前記７枚のシートの前記主体色である第二主体色とが異なる上記（１）に記載の付箋紙機能付日めくりカレンダー。
（３）前記第一主体色に対し、前記第二主体色は、補色または反対色であり、
前記補色は、色相環において第一主体色に対し反対側に位置する色であり、
前記反対色は、色相環において前記第一主体色を中心にして９０度に区画した色相の近い色を含む群に含まれない色である上記（２）に記載の付箋紙機能付日めくりカレンダー。
（４）前記印刷層は図柄を含み、
前記基材上に配列された配置順において第一曜日から数えられる７つの前記束それぞれの最前面において表出し連続する７日間を示す７枚の前記シートにおいて、前記図柄が看者に共通のテーマを認識させるとともに、
第一の前記７枚のシートの前記共通のテーマである第一テーマと、当該第一の前記７枚のシートの次層に位置する第二の前記７枚のシートの前記共通のテーマである第二テーマとが異なる上記（１）から（３）のいずれか一項に記載の付箋紙機能付日めくりカレンダー。
（５）前記基材が、卓上設置面と、前記束が固定される固定面とを有し、卓上カレンダーとして用いられる上記（１）から（４）のいずれか一項に記載の付箋紙機能付日めくりカレンダー。
（６）前記基材は、前記束が固定される固定面を有し、
前記固定面には、前記束が配置され固定される位置を示す基準線が設けられており、
前記基準線は、前記束の外縁の一部と略一致する上記（１）から（５）のいずれか一項に記載の付箋紙機能付日めくりカレンダー。
（７）第ｎの印刷紙の外縁部近傍に余白を残しつつ、第ｎ週の日付および曜日を一列かつ多段に印刷する日付印刷工程（但し、ｎ＝１から５３または５４までの正の整数である）と、
前記日付印刷工程後、前記第ｎの印刷紙において第ｎ週の日付および曜日が印刷された段ごとに、列方向に連続または断続に再剥離剤を塗布して付箋紙機能層を形成する付箋紙機能層形成工程と、
次いで、複数の前記印刷紙を日付順が保たれるとともに厚み方向に同じ曜日が重なるように丁合して積層し前記付箋紙機能層により接合させた後、前記余白を切断するとともに、日付および曜日がセットとなるよう区画して裁断することによって曜日毎の束を作成する束作成工程と、
前記束作成工程によって作成された前記束を、基材上に曜日順に配列して固定させる配列固定工程と、を備えることを特徴とする付箋紙機能付日めくりカレンダー製造方法。
【符号の説明】
【００４２】
１０・・・基材
１２・・・卓上設置面
１４・・・固定面
１６・・・背面
２０・・・付箋紙機能層
２２・・・再剥離剤
３０・・・シート
３２・・・日付
３４・・・曜日
３６・・・印刷層
３８・・・最前面
４０・・・束
４２、４３・・・外縁
５０・・・図柄
５２・・・第一テーマ
５４・・・第二テーマ
６０Ａ、６０Ｂ・・・印刷紙
６０Ｃ・・・用紙
６２・・・余白
６４・・・順番記号
６６・・・積層体
６８・・・切断線
７０・・・基準線
７２・・・上段基準線
７４・・・下段基準線
１００、２００・・・付箋紙機能付日めくりカレンダー
１２２・・・谷折線
１２３・・・爪
１２４・・・切込み部
１２５・・・折り込み部
１２６・・・山折線
【図１】
0003216131.tif 000003
【図２】
0003216131.tif 000004
【図３】
0003216131.tif 000005
【図４】
0003216131.tif 000006
【図５】
0003216131.tif 000007
【図６】
0003216131.tif 000008